(57)【要約】  歯の清掃具が、前記歯の清掃具の長手方向軸を定めるハンドルと、基部および前記基部から前記長手方向軸に垂直な関係で延びる２つのアームとを有するフロスホルダと、前記２つのアームの間に延びる少なくとも１本のフロスの糸と、前記フロスホルダに取り付けられた枢動可能なブラシとを含む。前記枢動可能なブラシは、ロッドと、前記ロッド上に位置する剛毛要素とを含む。前記ロッドは、収容のための第１の位置と使用のための第２の位置との間で枢動移動可能である。【選択図】図１
2019526290.tif 000002
【特許請求の範囲】
【請求項１】
歯の清掃具であって、
前記歯の清掃具の長手方向軸を定めるハンドルと、
基部および前記基部から前記長手方向軸に垂直な関係で延びる２つのアームとを有するフロスホルダと、
前記２つのアームの間に延びる少なくとも１本のフロスの糸と、
前記フロスホルダに取り付けられた枢動可能なブラシであって、収容のための第１の位置と使用のための第２の位置との間で枢動移動可能なロッドと、前記ロッド上に位置する剛毛要素とを含む、該枢動可能なブラシとを含むことを特徴とする歯の清掃具。
【請求項２】
請求項１に記載の歯の清掃具であって、
前記第１の位置は、フロスホルダの一部に平行であり、前記第２の位置は、前記フロスホルダの一部に対して傾斜していることを特徴とする歯の清掃具。
【請求項３】
請求項２に記載の歯の清掃具であって、
前記フロスホルダの一部は、２つのアームのうちの１つを含むことを特徴とする歯の清掃具。
【請求項４】
請求項２に記載の歯の清掃具であって、
前記ロッドが第２の位置に枢動されると、前記ロッドは、前記フロスホルダの一部に対して０〜９０度の範囲内の角度をなすことを特徴とする歯の清掃具。
【請求項５】
請求項２に記載の歯の清掃具であって、
前記ロッドは、前記フロスホルダの一部に対して異なる角度をなす複数の前記第２の位置に枢動可能であることを特徴とする歯の清掃具。
【請求項６】
請求項２に記載の歯の清掃具であって、
前記ロッドが前記第１の位置に枢動されると、前記ロッドは前記フロスホルダの一部に隣接することを特徴とする歯の清掃具。
【請求項７】
請求項１に記載の歯の清掃具であって、
前記ロッドは、前記フロスホルダと一体的に形成された一体成形ヒンジを含むことを特徴とする歯の清掃具。
【請求項８】
請求項７に記載の歯の清掃具であって、
前記ロッドは、前記フロスホルダに対向するように前記一体成形ヒンジに隣接して配置されたロッド基部をさらに備え、前記一体成形ヒンジは、前記ロッド基部の幅よりも小さい幅を有することを特徴とする歯の清掃具。
【請求項９】
請求項１に記載の歯の清掃具であって、
前記フロスホルダの反対側に位置する前記ハンドルの端部から延びるピックをさらに含むことを特徴とする歯の清掃具。
【請求項１０】
請求項９に記載の歯の清掃具であって、
前記フロスホルダ、前記ハンドル、および前記ピックは、単一部品として形成されていることを特徴とする歯の清掃具。
【請求項１１】
請求項１０に記載の歯の清掃具であって、
前記枢動可能なブラシは、前記フロスホルダ、前記ハンドル、および前記ピックと一体的に単一部品として形成されていることを特徴とする歯の清掃具。
【請求項１２】
歯の清掃具であって、
前記歯の清掃具の長手方向軸を定めるハンドルと、
複数のフロスの糸を保持するフロスホルダと、
前記フロスホルダに取り付けられた枢動可能なブラシであって、前記フロスホルダに枢動可能に取り付けられたロッドと、前記ロッドから延びる剛毛要素とを備える、該枢動可能なブラシと、
尖った先端を有するピックであって、前記ピックと前記フロスホルダとの間に前記ハンドルが配置されるように前記フロスホルダから離間されている、該ピックとを含むことを特徴とする歯の清掃具。
【請求項１３】
請求項１２に記載の歯の清掃具であって、
前記ロッドは、フロスホルダの一部に平行となる収容のための第１の位置と、前記フロスホルダの一部に対して傾斜した使用のための第２の位置との間で選択的に枢動可能であることを特徴とする歯の清掃具。
【請求項１４】
請求項１３に記載の歯の清掃具であって、
前記ロッドが第２の位置に枢動されると、前記ロッドは、前記フロスホルダの一部に対して０〜９０度の範囲内の角度をなすことを特徴とする歯の清掃具。
【請求項１５】
請求項１３に記載の歯の清掃具であって、
前記ロッドは、前記フロスホルダの一部に対して異なる角度をなす複数の前記第２の位置に枢動可能であることを特徴とする歯の清掃具。
【請求項１６】
請求項１２に記載の歯の清掃具であって、
前記フロスホルダは、少なくとも１つのアームを含み、前記枢動可能なブラシは、前記少なくとも１つのアームに枢動可能に取り付けられていることを特徴とする歯の清掃具。
【請求項１７】
請求項１６に記載の歯の清掃具であって、
前記ロッドが前記第１の位置に枢動されると、前記ロッドは前記少なくとも１つのアームに隣接することを特徴とする歯の清掃具。
【請求項１８】
請求項１２に記載の歯の清掃具であって、
前記ロッドは、前記フロスホルダと一体的に形成された一体成形ヒンジを含むことを特徴とする歯の清掃具。
【請求項１９】
歯の清掃具を使用するための方法であって、
前記歯の清掃具は、ハンドルと、複数のフロスの糸を保持するフロスホルダと、前記フロスホルダに取り付けられた枢動可能なブラシであって、前記フロスホルダに枢動可能に取り付けられたロッド、前記ロッドから延びる剛毛要素とを備える、該枢動可能なブラシと、尖った先端を有するピックとを含み、
前記方法は、
フロスホルダの一部に平行となる収容のための第１の位置と、前記フロスホルダの一部に対して傾斜した使用のための第２の位置との間で前記枢動可能なブラシを選択的に枢動させるステップと、
前記枢動可能なブラシが前記第１の位置および前記第２の位置のうちの１つにある間に、少なくとも１つの歯をブラッシングするために前記枢動可能なブラシを使用するステップとを含むことを特徴とする方法。
【請求項２０】
請求項１９に記載の方法であって、
前記枢動可能なブラシを選択的に枢動させるステップが、前記ロッドが前記フロスホルダの一部に対して０〜９０度の範囲内の角度をなすように、前記枢動可能なブラシ前記第１の位置および前記第２の位置の間で選択的に枢動させるステップを含むことを特徴とする方法。
【発明の詳細な説明】
【技術分野】
【０００１】
本発明の分野は、一般的に歯の清掃具に関し、特に枢動可能なブラシを備えた歯の清掃具に関する。
【背景技術】
【０００２】
歯の清掃具は、歯の表面または歯の間の食物残渣および／または堆積物を除去するために使用される。結果として存在する既知の歯の清掃具として、歯の表面を清掃するためのブラシと、隣接する歯の間に溜まった食品残渣（または他の屑片）を除去または掻取するためのフロスおよび／またはピックを含む他の公知の歯の清掃具が挙げられる。しかしながら、歯の清掃具は、ユーザの口の中に少なくとも部分的に挿入されなければならないので、ユーザによる操作が困難になることが頻繁に起こる。さらに、ユーザは口の後部に位置する歯に到達し清潔にするために、歯の清掃具を保持しなければならないが、これは厄介である。したがって、既知の歯の清掃具は、口の中または奥に位置する歯の上または歯の間で使用することが困難である。さらに、ユーザは、これらの清掃具それぞれの様々な利点を実現するために、個別の清掃具（例えば、ブラシ、フロス、および／またはピック）に切り替えて用いる必要があることが多い。
【０００３】
いくつかの従来の歯の清掃具には、歯の清掃具を使用することの難しさをしばしば悪化させるフロス、ピックおよび／またはブラシの組み合わせが含まれる。例えば、ユーザは、口の形を保持する、または口に挿入するのが不快なやり方法で歯の清掃具を保持し、操作しなければならない場合がある。さらに、フロス、ピックおよび／またはブラシは、歯の清掃具の他の要素の使用を妨害することがある。例えば、ユーザが歯の清掃具の他の部分をユーザの口の中に配置することが困難になるように、フロス、ピック、またはブラシが取り付けられていることがある。その結果、一部のユーザは、この不快感を避けるために、歯の一部について清掃をスキップしたり、効果的な清掃を行わないことがある。
【０００４】
したがって、いくつかの清掃用の要素が組み合わせられており、容易で効果的な方法で快適も使用される、改良された歯の清掃具が必要とされている。
【発明の概要】
【課題を解決するための手段】
【０００５】
一態様では、歯の清掃具が、全体として、前記歯の清掃具の長手方向軸を定めるハンドルと、基部および前記基部から前記長手方向軸に垂直な関係で延びる２つのアームとを有するフロスホルダと、前記２つのアームの間に延びる少なくとも１本のフロスの糸と、前記フロスホルダに取り付けられた枢動可能なブラシとを含む。前記枢動可能なブラシは、収容のための第１の位置と使用のための第２の位置との間で枢動移動可能なロッドと、前記ロッド上に位置する剛毛要素とを含む。
【０００６】
別の態様では、歯の清掃具が、全体として、前記歯の清掃具の長手方向軸を定めるハンドルと、複数のフロスの糸を保持するフロスホルダと、前記フロスホルダに取り付けられた枢動可能なブラシと、尖った先端を有するピック（楊子部）とを含む。前記枢動可能なブラシは、前記フロスホルダに枢動可能に取り付けられたロッドと、前記ロッドから延びる剛毛要素とを備える。前記ピックは、前記ピックと前記フロスホルダとの間に前記ハンドルが配置されるように前記フロスホルダから離間されている。
【０００７】
さらに別の態様では、歯の清掃具を使用するための方法が提供される。前記歯の清掃具は、ハンドルと、複数のフロスの糸を保持するフロスホルダと、前記フロスホルダに取り付けられた枢動可能なブラシであって、前記フロスホルダに枢動可能に取り付けられたロッド、前記ロッドから延びる剛毛要素とを備える、該枢動可能なブラシと、尖った先端を有するピックとを含む。前記方法は、一般的に、フロスホルダの一部に平行となる収容のための第１の位置と、前記フロスホルダの一部に対して傾斜した使用のための第２の位置との間で前記枢動可能なブラシを選択的に枢動させるステップを含む。前記方法はまた、前記枢動可能なブラシが前記第１の位置および前記第２の位置のうちの１つにある間に、少なくとも１つの歯をブラッシングするために前記枢動可能なブラシを使用するステップを含む。
【図面の簡単な説明】
【０００８】
【図１】図１は、枢動可能なブラシを含む歯の清掃具の１つの好適な実施形態の斜視図である。
【図２】図２は、枢動可能なブラシがとる複数の位置を示す、歯の清掃具の右側立面図である。
【図３】図３は、歯の清掃具の正面図である。
【図４】図４は、歯の清掃具の上面図である。
【図５】図５は、歯の清掃具の分解斜視図である。
【発明を実施するための形態】
【０００９】
図１〜図５は、歯の清掃具の１つの好適な実施形態を示しており、全体を符合１００で示している。図示されているように、この歯の清掃具１００は、ハンドル１０２、フロスホルダ１０４、ピック１０６（楊子部）、および枢動可能なブラシ１０８を含む。ハンドル１０２、フロスホルダ１０４、ピック１０６、および枢動可能なブラシ１０８は、それぞれ、添付図面においてそれぞれの参照番号によって全体が示されている。本発明のいくつかの態様から逸脱しない他の一部の好適な実施形態では、歯の清掃具１００は、フロスホルダ１０４、ピック１０６および／または枢動可能なブラシ１０８の任意の組み合せを含むものとし得ることは理解されよう。
【００１０】
図２に示すように、ハンドル１０２は、グリップ部１１２と、フロス端部１１４と、ピック端部１１６とを含む。図示の実施形態では、ハンドル１０２は、歯の清掃具１００の長手方向軸１２０（ハンドル１０２を通して延びる）に沿って、フロス端部１１４とピック端部１１６との間で測定された長さ１１８を有する。好適な実施形態では、ハンドル１０２の長さ１１８は、歯の清掃具１００が本明細書で説明されるように機能することを可能にする任意の測定値であり得る。好ましくは、長さ１１８は、約４３ｍｍ〜約５２ｍｍの範囲の大きさである。図示された実施形態では、例えば、ハンドル１０２の長さ１１８は約４８ｍｍである。
【００１１】
図示した実施形態では、図２〜図４に最もよく示されているように、ハンドル１０２は、前壁１２２、その反対側の後壁１２４、第１の側壁１２６、および第１の側壁の反対側の第２の側壁１２８を含む。図４に示すように、側壁１２６、１２８は、前壁１２２および後壁１２４に垂直な方向に延び、これらを接続する。幅１２７（図２）が前壁１２２と後壁１２４との間で測定され、厚さ１２９（図３）は２つの側壁１２６、１２８の間で測定される。適切には、ハンドル１０２の幅１２７は、約３．８ｍｍ〜約５．８ｍｍの範囲内の長さである。図示の実施形態では、例えば、幅１２７は約４．８ｍｍである。好適には、ハンドル１０２の厚さ１２９は、約１．５ｍｍ〜約２．８ｍｍの範囲内の長さである。図示の実施形態では、例えば、厚さ１２９は約１．９ｍｍである。
【００１２】
ハンドル１０２の遠位端部分を画定し、より具体的にはハンドルのピック端部１１６を画定するピック１０６は、ユーザの歯の間からの食品残渣などの屑片の除去および／または掻取を容易にする。ピック１０６は、隣接する歯の間の屑片の除去を容易にする任意の適切な形状を有し得ることが想定されている。図示の実施形態では、ハンドル１０２のピック端部１１６は、ピック１０６を画定するように指されている。具体的には、少なくとも側壁１２６，１２８の幅は、ピック端部１１６側の一点に向かって先細になっている。図示した実施形態では、図３に最もよく示されているように、第１の側壁１２６および第２の側壁１２８の両方が、ピック端部１１６に向かって先細になっている。その結果、前壁１２２および後壁１２４は、ピック端部１１６で合流する。側壁１２６、１２８のうちの１つのみが先細であってもよいことは理解されよう。例えば、１つの代替の実施形態では、第２の側壁１２８のみが先細となることができ、このような実施形態では第１の側壁１２６は概ね平坦である。
【００１３】
図示された実施形態では、ピック１０６は、ハンドル１０２と一体的に単一部品として形成される。換言すると、ピック１０６はハンドル１０２の一体的な延長部である。しかし、ピック１０６を、別個の構成要素として形成し、歯の清掃具１００の組み立て中にハンドル１０２に取り付けてもよいことは理解されよう。本発明のいくつかの態様から逸脱することなく、他の好適な実施形態においては、ピック１０６を歯の清掃具１００に取り外し可能に取り付けられ得る。
【００１４】
図示の実施形態では、フロスホルダ１０４は、ハンドル１０２のフロス端部１１４から延びている。フロスホルダ１０４は、円弧状（または広義には非線形）の基部１３０と、基部から互いに離間した形で延びる２つのアーム（内側アーム１３２および外側アーム１３４）を含む。図２および図５に見られるように、内側アーム１３２および外側アーム１３４は、互いに実質的に平行である。図示された実施形態におけるフロスホルダ１０４は、概ねＵ字形である。しかし、他の好適な実施形態では、フロスホルダ１０４は、任意の適切な形状を有し得ることは理解されよう。
【００１５】
図示された実施形態では、フロスホルダ１０４は、ハンドル１０２と一体的に形成される。換言すれば、フロスホルダ１０４は、ハンドル１０２の一体的な延長部である。しかし、歯の清掃具１００の組み立て中に、フロスホルダ１０４を別個の構成要素として形成し、ハンドル１０２に取り付けることもできることは理解されよう。
【００１６】
さらに図２および図５を参照すると、歯の清掃具１００は、ハンドル１０２とフロスホルダ１０４との間に延びる湾曲部分１３６を含む。その結果、例示の実施形態では、フロスホルダ１０４の基部１３０の大部分が、歯の清掃具１００の長手方向軸１２０の下に配置される。湾曲部分１３６により、ユーザがハンドル１０２を把持し、フロスホルダ１０４をユーザの口に入れることが容易になる。フロスホルダ１０４は、本明細書に記載されるように機能できるようにするハンドル１０２に関して任意の方式で方向付けられ得ることは理解されよう。例えば、一部の好適な実施形態では、湾曲部分１３６を設けないことができる。このような実施形態では、フロスホルダ１０４の基部１３０は、歯の清掃具１００の長手方向軸１２０と整列される。
【００１７】
基部１３０に対して片持ちにされた内側アーム１３２および外側アーム１３４の各々は、近位部分１３８および遠位部分１４０を含む。近位部分１３８は基部１３０に接続され、遠位部分１４０は基部１３０から離隔される。少なくとも１本のフロスの糸１４２が、内側アーム１３２および外側アーム１３４それぞれの遠位部分１４０の間に延びる。例えば、図示の実施形態では、２本のフロスの糸１４２が、内側アーム１３２と外側アーム１３４との間に延在する。適切には、複数のフロスの糸１４２が互いに実質的に平行である。フロスホルダ１０４は、本発明のいくつかの態様から逸脱することなく、任意の適切な構成を有し得ることは理解されよう。例えば、フロスの糸１４２は、ユーザがフロスの糸１４２を手で除去および／または交換できるように、内側アーム１３２および外側アーム１３４から選択的に取り外し可能としてもよい。
【００１８】
好適な一実施形態では、枢動可能なブラシ１０８は、フロスホルダ１０４から延びている。適切には、枢動可能なブラシ１０８は、内側アーム１３２および外側アーム１３４のうちの１つから延びる。図示した実施形態では、枢動可能なブラシ１０８は、外側アーム１３４（すなわち、ハンドル１０２から離れた側のアーム）から延びている。しかし、枢動可能なブラシ１０８は、本発明のいくつかの態様から逸脱することなく、他の適切な実施形態において、歯の清掃具１００の任意の部分から延びた形態にできることは理解されよう。
【００１９】
図１、図２、および図５を参照すると、枢動可能なブラシが、ロッド１４４と、ロッド１４４から延びる複数の剛毛要素１４６とを含む。より一般的には、枢動可能なブラシ１０８は、フロスホルダ１０４に枢動可能に取り付けられ、フロスホルダ１０４から延び出している。より詳細には、枢動可能なブラシ１０８は、外側アーム１３４に枢動可能に取り付けられ、外側アーム１３４から延び出している。図示された実施形態では、枢動可能なブラシ１０８は、フロスホルダ１０４の横方向の範囲を超えて延び出している。すなわち、枢動可能なブラシ１０８は、長手方向軸１２０に沿って横方向に延び、フロスホルダ１０４の基部１３０のさらに先に延び出している。図２に見られるように、図示された枢動可能なブラシ１０８は、その全体が長手方向軸１２０の下に配置されている。
【００２０】
枢動可能なブラシ１０８は、第１の位置１６０（例えば、収容位置）と第２の位置１６２（例えば、使用位置）との間で選択的に枢動可能である。図１および図５に示すように、枢動可能なブラシ１０８が第１の位置１６０にあるとき、ロッド１４４は、フロスホルダ１０４の外側アーム１３４と概ね平行である。図２に示すように、枢動可能なブラシ１０８は、複数の異なる位置へ枢動可能であり、各位置は外側アーム１３４に対してある一定の角度１４８をなす。例示的な実施形態では、図２に示すように、角度１４８は、枢動可能なブラシ１０８がアーム１３４からどのくらい離れた位置まで枢動されるかに応じて異なる。より具体的には、好適な一実施形態では、角度１４８は０度から９０度まで可変である。しかしながら、いくつかの実施形態では、本発明の範囲から逸脱することなく、角度１４８が９０度を超える角度（例えば、約０度〜約１８０度の間の角度）にすることも可能であることは理解されよう。さらに、枢動可能なブラシ１０８は、本発明の一部の態様から逸脱することなく、歯の清掃具１００の任意の部分に対して角度をなすことが可能であることは理解されよう。
【００２１】
枢動可能なブラシ１０８は、外側アーム１３４の任意の部分から延び出すことができる。図示の実施形態では、枢動可能なブラシ１０８は、外側アーム１３４の遠位部分１４０から延び出している。好適な実施形態では、枢動可能なブラシ１０８は、本発明の一部の態様から逸脱することなく、任意の方式で方向付けることができる。
【００２２】
枢動可能なブラシ１０８が第２の位置１６２に選択的に枢動されると、ユーザは、枢動可能なブラシ１０８を困難なく使用して歯を清掃することができる。具体的には、ユーザは、ハンドル１０２を容易に保持し、歯の様々な表面に対して枢動可能なブラシ１０８を配置することができ、歯の清掃具１００を口の中に十分に配置することができる。さらに、枢動可能なブラシ１０８によって、歯の清掃具１００を、ユーザの口（すなわち、ユーザの口の奥）の入れるのが困難な場所に到達させることが可能となる。さらに、歯の清掃具１００は、枢動可能なブラシ１０８を、フロスホルダ１０４によって妨げられることなく様々な位置をとらせることを可能とするように、またはその逆も可能とするように構成される。
【００２３】
図４に最もよく示されているように、ロッド１４４は、遠位端１５０および近位端１５２を有する。長さ１５４は、遠位端１５０と近位端１５２との間で測定される長さである。適切には、長さ１５４は約１０ｍｍ〜約１５ｍｍである。図示した実施形態では、例えば、長さ１５４は約１２ｍｍである。適切には、ロッド１４４は、近位端１５２から延びるロッド基部１５５と、ロッド基部１５５から遠位端１５０まで延びる側壁１５６とを有する。図示した実施形態では、側壁１５６はロッド基部１５５から遠位端１５０に延びるにつれて細くなっている。遠位端１５０での側壁１５６の直径をより小さくすることにより、遠位端１５０を清掃のために狭い空間に配置することが容易になる。加えて、ロッド基部１５５は側壁１５６の幅よりも小さい幅を有する。
【００２４】
再び図２を参照すると、ロッド１４４のロッド基部１５５は、フロスホルダ１０４と一体に形成された一体成形ヒンジ１５７を画定する。一体成形ヒンジ１５７により、枢動可能なブラシ１０８を第１の位置１６０と第２の位置１６２との間で手で枢動させることが可能となる。図示の実施形態では、ロッド基部１５５は、アーム１３４への湾曲した移行部１６４を有する。一体成形ヒンジ１５７は、湾曲した移行部１６４と協働して、ロッド１４４が一体成形ヒンジ１５７の周りに枢動されたとき、アーム１３４への取り付け部の近くでロッド１４４が破損することを防止する。ロッド１４４は、本発明の一部の態様から逸脱することなく、任意の適切な形状およびサイズを有し得ることは理解されよう。本発明の少なくとも一部の態様から逸脱することなく、枢動可能なブラシ１０８は、枢動可能なブラシ１０８を第１の位置１６０と第２の位置１６２との間で枢動可能にするための代替の枢動要素を含むことができ、そのような代替の枢動要素として、例えば１つ以上の一体的に形成されていないヒンジ要素（例えば、枢動可能なブラシ１０８がフロスホルダ１０４に取り外し可能に取り付けられる形態にする）が挙げられる。
【００２５】
剛毛要素１４６は、ユーザの歯を清掃するために側壁１５６から延びている。剛毛要素１４６は、任意の適切な方式で配置することができる。図示された実施形態では、剛毛要素１４６は、ロッド１４４の長さに沿って間隔を置いて配置され、円筒形側壁１５６を周方向に環状に間隔をおいて配置された複数の剛毛要素群１５８となるように配置される。他の好適な実施形態では、剛毛要素１４６は、間隔をおいて剛毛要素群１５８をなすように配置される代わりに、ロッド１４４の長さおよび／または周方向に沿って連続的であってもよい。さらに、好適な実施形態では、剛毛要素１４６は、ロッド１４４の一部のみから、例えばロッド１４４の片側に沿って、または遠位端１５０でのみ延び出す形態をとってもよい。図示された実施形態では、剛毛要素群１５８は、ロッド１４４の長さ１５４に沿って延びる４つの列に配置され、円筒形側壁１５６の周方向に環状に間隔をおいて配置される。剛毛要素１４６は、任意の適切な方式でグループ化することができ、あるいは側壁１５６上にランダムに配置することができることは理解されよう。
【００２６】
好適な実施形態では、歯の清掃具１００は、任意の適切な方式で、任意の適切な材料で形成され得る。例えば、歯の清掃具１００は、金属、木材、プラスチック、および／またはそれらの組み合わせから形成され得る。好ましい実施形態の１つでは、歯の清掃具１００は成形されるか、または、これらに限定しないがプラスチックまたは金属などの弾性合成材料の単一部品から形成される。図示された実施形態では、ハンドル１０２、フロスホルダ１０４、ピック１０６、および枢動可能なブラシ１０８が一体的に形成されている。より具体的には、例示された実施形態では、フロスの糸１４２を除いて、歯の清掃具１００全体が、許容可能な食品グレードのプラスチックから単一部品として成形される。他の実施形態では、ハンドル１０２、フロスホルダ１０４、ピック１０６、および枢動可能なブラシ１０８のいずれかを別に形成し、組立中に歯の清掃具１００に取り付けることができる。
【００２７】
本明細書に記載の歯の清掃具は、歯の清掃具から延び出し、歯の清掃具への取り付け点における枢着部の周りの格納のための第１の位置と使用のための第２の位置との間で選択的に枢動可能である枢動可能なブラシを含む。したがって、本明細書に記載の歯の清掃具は、ユーザが歯の清掃具を使用して不快感なく到達でき、効果的に清掃することができる口内の部分を拡張する。さらに、本明細書に記載される枢動可能なブラシは、歯の清掃具の他の部分によって妨げられない枢動可能なブラシの第２の位置までの移動可能な範囲および対応する角度の範囲をより大きくすることができる。
【００２８】
本発明の要素またはその好ましい実施形態について記載するとき、冠詞「ある（ａ、ａｎ）」、「前記、またはその（ｔｈｅ、ｓａｉｄ）」は、１つまたは複数の要素が存在することを意味する意図で用いられている。「含む（ｃｏｍｐｒｉｓｉｎｇ、ｉｎｃｌｕｄｉｎｇ）」および「有する（ｈａｖｉｎｇ）」という用語は包括的であり、列記された要素以外の追加の要素が存在し得ることを意味する。
【００２９】
上記の構成において、本発明の範囲から逸脱することなく様々な変更を加えることができるので、上記の説明に含まれ、添付の図面に示されるすべての事項は、例示的なものであり限定的な意味ではないと解釈されたい。
【００３０】
本明細書の説明では、本発明を開示し、当業者が本発明を実施できるようにするために、最良の形態を含む複数の実施形態を用いており、本発明の実施には任意のデバイスまたはシステムを作成および使用し、組み込まれた方法を実行することが含まれる。本発明の範囲は、特許請求の範囲の請求項の記載によって定義され、当業者が想到し得る明細書に記載されていない他の実施形態も含まれる。そのような他の実施形態の記載は、請求項の記載内容と異ならない構造的要素を有する場合、またはそれらが請求項の記載とは異なるが実質的に均等な構造的要素を有する場合に、その実施形態は本発明の範囲内になるということを意味している。
【図１】
2019526290.tif 000003
【図２】
2019526290.tif 000004
【図３】
2019526290.tif 000005
【図４】
2019526290.tif 000006
【図５】
2019526290.tif 000007
【国際調査報告】
2019526290.tif 000008
2019526290.tif 000009